(57)【要約】【課題】  壁の貫通口に対して容易に取付けることができながらも、壁外面を体裁良く化粧することができるとともに、雨、風が室内に流入することを抑制した状態で十分な換気を行うことのできるコーナー用化粧カバーを提供する。【解決手段】  壁Ｗの貫通口Ｈを通して壁外面Ｗａに沿う姿勢で導出された可撓性配管類１の屈曲部分１Ａを覆う状態で壁外面Ｗａに固定されるコーナーカバー３のうち、貫通口Ｈに相対向する天井壁部３ａに換気口３ｉを形成するとともに、天井壁部３ａの外面側には、前記換気口３ｉと外部とに亘って換気通路７を形成する換気カバー４が装着されているコーナー用化粧カバーにおいて、前記天井壁部３ａ又は前記換気カバー４若しくはこれらの隣接間に前記貫通口Ｈ及び前記換気通路７を通して換気するための換気ファン５ａを設ける。【選択図】        図２
2006284150.tif 000002
【特許請求の範囲】
【請求項１】
壁の貫通口を通して壁外面に沿う姿勢で導出された可撓性配管類の屈曲部分を覆う状態で壁外面に固定されるコーナーカバーのうち、貫通口に相対向する天井壁部に換気口を形成するとともに、コーナーカバーの天井壁部の外面側には、前記換気口と外部とに亘って換気通路を形成する換気カバーが装着されているコーナー用化粧カバーであって、
前記天井壁部又は前記換気カバー若しくはこれらの隣接間には、前記貫通口及び前記換気通路を通して換気するための換気ファンが設けられているコーナー用化粧カバー。
【請求項２】
壁の貫通口を通して壁外面に沿う姿勢で導出された可撓性配管類の屈曲部分を覆う状態で壁外面に固定されるコーナーカバーのうち、貫通口に相対向する天井壁部に換気口を形成するとともに、コーナーカバーの天井壁部の外面側には、前記換気口と外部とに亘って換気通路を形成する換気カバーが装着されているコーナー用化粧カバーであって、
前記貫通口及び前記換気通路を通して換気するための換気ファンが、少なくとも前記換気通路内に一部が突出する状態で設けられているコーナー用化粧カバー。
【請求項３】
前記換気ファンが、軸流ファンである請求項１又は２記載のコーナー用化粧カバー。
【請求項４】
前記換気カバーが脱着自在に装着されているとともに、前記換気ファンが前記天井壁部の外面側から脱着自在に装着されている請求項１〜３のいずれか１項に記載のコーナー用化粧カバー。
【請求項５】
前記コーナーカバー又は前記換気カバーにおける前記換気ファンの取付け部に対して、換気ファンと多数の隙間を有する虫侵入抑制体とが付け替え自在に構成されている請求項４記載のコーナー用化粧カバー。
【請求項６】
前記貫通口に挿通された換気ホースに対する接続口と、これに連通する状態で前記換気ファンを取付け可能な取付け口とを備えた案内筒が設けられている請求項１〜５のいずれか１項に記載のコーナー用化粧カバー。
【請求項７】
前記案内筒内には、前記換気ファンによる移動空気で開き作動する開閉弁が設けられている請求項６記載のコーナー用化粧カバー。
【請求項８】
前記換気ファンと前記案内筒とが、前記コーナーカバー又は前記換気カバーに共締め固定されている請求項６又は７記載のコーナー用化粧カバー。
【請求項９】
前記換気ファンを作動させる作動力供給源が備えられている請求項１〜８のいずれか１項に記載のコーナー用化粧カバー。
【請求項１０】
前記作動力供給源が、太陽光発電パネルである請求項９記載のコーナー用化粧カバー。
【発明の詳細な説明】
【技術分野】
【０００１】
本発明は、空調用室内ユニットと空調用室外ユニットとの間に配設され、壁の貫通口を通して壁外面に沿う姿勢で導出された冷媒管やドレンホース、換気ホース、電気配線等の可撓性配管類の屈曲部を室外側で覆うとともに、換気機能を有するコーナー用化粧カバーに関し、特に換気機能を向上させる技術に関する。
【背景技術】
【０００２】
従来のコーナー用化粧カバーは、空調用室内ユニットと空調用室外ユニットとの間に配設され、壁の貫通口を通して壁外面に沿う姿勢で導出された可撓性配管類の屈曲部分を覆う状態で、壁外面に固定されるコーナーカバーにおける貫通口に相対向する天井壁部に換気口を形成するとともに、コーナーカバーの天井壁部の外面側には、換気口と外部とに亘って換気通路を形成する換気カバーを装着して構成されていた。
【０００３】
そして、このようなコーナー用化粧カバーは、壁外面に取付けるだけで、壁の貫通口をコンパクトで体裁良く化粧することができるとともに、換気カバーが雨、風が室内に流入することを抑制した状態で、貫通口内、又は、貫通口内に挿通された換気ホースからコーナーカバー内及び換気通路を通して、室内と室外との温度差又は圧力差若しくは風圧力による換気（すなわち、自然換気）を行うことができるという優れた利点を有するために、特に住宅に対して幅広く利用されてきた。
【０００４】
しかしながら、このようなコーナー用化粧カバーでは、換気方法が自然換気に限られてしまうために、必ずしも必要十分な換気を行うことができないことがあった。
【０００５】
そのため、このコーナー用化粧カバーを用いつつも換気ファン等による換気（すなわち、機械換気）を可能にするという視点から、（１）コーナー用化粧カバーを壁の貫通口から導出された可撓性配管類の屈曲部分を覆う状態で、壁外面に固定するとともに、空調用室内ユニット内に設けた換気ファンを貫通口に挿通された換気ホースの壁内面側端部に接続する技術（下記特許文献１参照）が提案されており、また、機械換気による換気手段を設けた換気ユニットを小型化してコーナー用化粧カバーの性能に近づけるという視点から、（２）壁の貫通口から導出される可撓性配管類の屈曲部分を覆う状態で、壁外面に固定される換気ユニットの内部に一対のシロッコファンを設けるとともに、貫通口内に挿通された一対の導風路を一対のシロッコファンに各々接続する技術（下記特許文献２参照）が提案されている。
【０００６】
【特許文献１】特開２０００−１７１０５５
【特許文献２】特開平５−７１７５３
【発明の開示】
【発明が解決しようとする課題】
【０００７】
しかしながら、上記（１）に記載の技術の場合には、上記のコーナー用化粧カバーを利用することで、壁の貫通口を体裁良く化粧するとともに、雨、風の室内への流入を防止しながらも、壁内面に設けられた換気ファンによって、壁の貫通口及びコーナー用化粧カバーの内面を通して換気を十分に行うことができるという利点があるものの、この換気ファンを室内側に設けるが故に、既設の空調用室内ユニットの改造又は専用の空調用室内ユニットへの交換が必要となり、コストと作業効率の双方に問題があった。
【０００８】
また、上記（２）に記載の技術の場合には、壁の貫通口に挿通された一対の導風路に接続可能な一対のシロッコファンを備えた換気ユニットを、この一対の導風路と一対のシロッコファンを各々接続した状態で壁外面に固定することで、壁の貫通口を通して機械換気によって換気を十分に行うことができるという利点があるものの、可撓性配管類の屈曲部に加えて、少なくとも２基のシロッコファンと２つの導風路を換気ユニットの内部に収納するが故に、換気ユニットが大型化してしまい、換気ユニットを取付けた状態での壁外面の体裁がコーナー用化粧カバーと比べて悪くなるという問題があった。
【０００９】
本発明は上述の実情に鑑みてなされたものであって、その主たる課題は、壁の貫通口に対して容易に取付けることができながらも、壁外面を体裁良く化粧することができるとともに、雨、風が室内に流入することを抑制した状態で機械換気による十分な換気を行うことのできるコーナー用化粧カバーを提供する点にある。
【発明の効果】
【００１０】
本発明の第１特徴構成はコーナー用化粧カバーに係り、その特徴は、壁の貫通口を通して壁外面に沿う姿勢で導出された可撓性配管類の屈曲部分を覆う状態で壁外面に固定されるコーナーカバーのうち、貫通口に相対向する天井壁部に換気口を形成するとともに、コーナーカバーの天井壁部の外面側には、前記換気口と外部とに亘って換気通路を形成する換気カバーが装着されているコーナー用化粧カバーであって、
前記天井壁部又は前記換気カバー若しくはこれらの隣接間には、前記貫通口及び前記換気通路を通して換気するための換気ファンが設けられている点にある。
【００１１】
つまり、この構成であれば、換気ファンが、少なくともコーナーカバー内の天井壁部側、又はコーナーカバー外に配置されることになり、貫通口からコーナーカバー内に導出され、コーナーカバー内の底壁部側に屈曲される可撓性配管類を、コーナーカバーの底壁部と天井壁部との間の空間（配管類設置空間）に、換気ファンとの干渉を抑制した状態で収納することができるから、壁の貫通口をコンパクトで体裁良く化粧することができながらも、換気カバーが雨、風を室内に流入することを抑制した状態で、貫通口内、又は、貫通口内に挿通された換気ホースからコーナーカバー内及び換気通路を通して、機械換気を行うことができる。
【００１２】
従って、壁外面に取り付けるだけの作業で、通常のコーナー用化粧カバーと同様に壁の貫通口を体裁良く化粧することができながらも、雨、風が室内に流入することを抑制した状態で、十分な換気を行うことができる。
【００１３】
本発明の第２特徴構成はコーナー用化粧カバーに係り、その特徴は、壁の貫通口を通して壁外面に沿う姿勢で導出された可撓性配管類の屈曲部分を覆う状態で壁外面に固定されるコーナーカバーのうち、貫通口に相対向する天井壁部に換気口を形成するとともに、コーナーカバーの天井壁部の外面側には、前記換気口と外部とに亘って換気通路を形成する換気カバーが装着されているコーナー用化粧カバーであって、
前記貫通口及び前記換気通路を通して換気するための換気ファンが、少なくとも前記換気通路内に一部が突出する状態で設けられている点にある。
【００１４】
つまり、この構成であれば、換気ファンのうち、コーナーカバー外の換気通路内に突出していない部分だけがコーナーカバー内の天井壁部側に配置されることになり、貫通口からコーナーカバー内に導出され、コーナーカバー内の底壁部側に屈曲される可撓性配管類を、コーナーカバーの配管類設置空間に換気ファンとの干渉を抑制した状態で収納することができるから、壁の貫通口をコンパクトで体裁良く化粧することができながらも、換気カバーが雨、風を室内に流入することを抑制した状態で、貫通口内、又は、貫通口内に挿通された換気ホースからコーナーカバー内及び換気通路を通して、機械換気を行うことができる。
【００１５】
従って、壁外面に取り付けるだけの作業で、通常のコーナー用化粧カバーと同様に壁の貫通口を体裁良く化粧することができながらも、雨、風が室内に流入することを抑制した状態で、十分な換気を行うことができる。
【００１６】
本発明の第３特徴構成は、第１、第２特徴構成のいずれかの実施に好適な構成であり、その特徴は、前記換気ファンが、軸流ファンである点にある。
【００１７】
つまり、この構成であれば、換気ファンが、軸芯方向の厚みの少ない軸流ファンであるが故に、例えば、換気ファンがシロッコファンである場合と比べて、換気ファンが、コーナーカバーの配管類設置空間に突出することを抑制することができるとともに、その軸芯方向に沿う直線上で空気を移動させることができるから、貫通口から換気口に亘って、圧力損失の少ない状態で換気を行うことができる。
【００１８】
従って、コーナー用化粧カバーの取付け作業の容易化、能率化を促進することができるとともに、換気機能の効率化を促進することができる。
【００１９】
本発明の第４特徴構成は、第１〜第３特徴構成のいずれかの実施に好適な構成であり、その特徴は、前記換気カバーが脱着自在に装着されているとともに、前記換気ファンが前記天井壁部の外面側から脱着自在に装着されている点にある。
【００２０】
つまり、この構成であれば、換気ファンが設けられた換気カバーを脱着する、若しくは換気カバーを取り外したのち、換気ファンを脱着することができるから、壁外面に固定されているコーナーカバーを取り外すことなく、換気ファンの脱着を行うことができる。
【００２１】
従って、換気ファンの脱着を容易に行うことができ、室内の利用形態の変化や温度変化等の環境の変化に応じて、換気ファンによる機械換気と、換気ファンによらない自然換気を選択して換気を行うことができる。
【００２２】
本発明の第５特徴構成は、第４特徴構成の実施に好適な構成であり、その特徴は、前記コーナーカバー又は前記換気カバーにおける前記換気ファンの取付け部に対して、換気ファンと多数の隙間を有する虫侵入抑制体とが付け替え自在に構成されている点にある。
【００２３】
つまり、この構成であれば、換気ファンの取付け部に対して、換気ファンと虫の侵入を抑制可能な虫侵入抑制体とを選択的に装着することができるから、室内の利用形態の変化や温度変化等の環境の変化に応じて、換気ファンによる機械換気と、虫侵入抑制体による虫の侵入を抑制しながらの自然換気を選択して換気を行うことができる。
【００２４】
本発明の第６特徴構成は、第１〜第５特徴構成のいずれかの実施に好適な構成であり、その特徴は、前記貫通口に挿通された換気ホースに対する接続口と、これに連通する状態で前記換気ファンを取付け可能な取付け口とを備えた案内筒が設けられている点にある。
【００２５】
つまり、この構成であれば、案内筒を介して換気ホースと換気ファンとを連通することができるから、換気ファンによる移動空気が案内筒及び換気ホースからコーナーカバー内に流出することがなく、壁内面からコーナー用化粧カバーの外部に亘って効率よく換気を行うことができる。
【００２６】
本発明の第７特徴構成は、第６特徴構成の実施に好適な構成であり、その特徴は、前記案内筒内には、前記換気ファンによる移動空気で開き作動する開閉弁が設けられている点にある。
【００２７】
つまり、この構成であれば、換気ファンを作動することで、この換気ファンによる移動空気の空気圧によって案内筒内の開閉弁を開き作動させ、案内筒内を開口状態にすることができるとともに、換気ファンを停止することで、案内筒内の開閉弁を閉じ作動させ、案内筒内を閉塞状態にすることができるから、換気量を換気ファンの作動と停止の切り替えによってコントロールすることで、在室者に合わせて快適な室内環境を容易に創出することができるとともに、換気ファンが停止している状態での虫の侵入を防止することができる。
【００２８】
本発明の第８特徴構成は、第６、第７特徴構成のいずれかの実施に好適な構成であり、その特徴は、前記換気ファンと前記案内筒とが、前記コーナーカバー又は前記換気カバーに共締め固定されている点にある。
【００２９】
つまり、この構成であれば、案内筒と換気ファンを締結することで、案内筒と換気ファンとを固定するとともに、これらをコーナーカバー又は換気カバーに固定することができるから、案内筒と換気ファンと天井壁部又は換気カバーとを各々締結固定する場合と比べて、取付け工事の簡略化を図ることができる。
【００３０】
本発明の第９特徴構成は、第１〜第８特徴構成のいずれかの実施に好適な構成であり、その特徴は、前記換気ファンを作動させる作動力供給源が備えられている点にある。
【００３１】
つまり、この構成であれば、コーナー用化粧カバー自体に作動力供給源が備えられているが故に、コーナー用化粧カバー外から換気ファンに作動力を供給する必要がないから、例えば、作動力供給源が近くに全く存在しない場合であっても、換気ファンを作動させて機械換気を行うことができるとともに、例えば、換気ファンに作動力を供給するために、壁内面の電気コンセントと換気ファンとを貫通口内を通して配線ケーブル等によって接続する場合に比べて、コーナー用化粧カバーの取付け工事の簡略化を図ることができる。
【００３２】
本発明の第１０特徴構成は、第９特徴構成の実施に好適な構成であり、その特徴は、前記作動力供給源が、太陽光発電パネルである点にある。
【００３３】
つまり、この構成であれば、太陽光が存在する限り、換気ファンに電力を供給し続けることができるから、例えば、作動力供給源に電力量が限られている乾電池を用いる場合に比べて、乾電池交換作業を省略することができ、この換気ファンによる換気機能を維持するための手間を省力化することができる。
【発明を実施するための最良の形態】
【００３４】
［第１実施形態］
図１、図２は、空調用室内ユニットと空調用室外ユニットとの間に配設される冷媒管１ａやドレンホース、換気ホース１ｂ、電気配線等の可撓性配管類１を室外側で覆うコーナー用化粧カバーを示し、壁Ｗの貫通口Ｈに装着されたスリーブ２を通して、壁外面Ｗａに沿う姿勢で導出された可撓性配管類１の屈曲部分１Ａを覆う筒状の合成樹脂製のコーナーカバー３のうち、貫通口Ｈに相対向する天井壁部３ａに換気口３ｉが形成されているとともに、コーナーカバー３の天井壁部３ａの外面には、二方向に向かって略Ｌ字状に開口する開口部４ｇ、４ｈを有し、かつ、使用状態では下方側に配置される一端側の開口部４ｈとコーナーカバー３の換気口３ｉに亘る状態で、コーナーカバー３の天井壁部３ａの外面との間に換気通路７を形成する合成樹脂製の換気カバー４が脱着自在に装着され、さらに、この天井壁部３ａの外面には、軸流式の換気ファン５ａを中心に備えた機械換気用の換気体５と多数の隙間を有した自然換気用の虫侵入抑制体１０とが、換気口３ｉを覆う状態で選択的に装着されているとともに、天井壁部３ａの内面には、換気ホース１ｂに対する接続口６ａと換気体５に対する取付け口６ｂを備えた案内筒６が、換気ホース１ｂと換気体５とに亘って連通接続されている。そして、換気ファン５ａに対して電気ケーブル１１を通して電力を供給する太陽光発電パネル１２が、コーナーカバー３の天井壁部３ａの外面のうち、換気カバー４の装着部分以外に設けられている。
【００３５】
前記コーナーカバー３は、この底壁部３ｄ側に形成される管類導入口３ｍを横断する位置を分割起点とし、壁外面Ｗａに沿って配設される別の直管状の合成樹脂製の配管カバーｋの一端部が嵌合状態で差込み接続される接続端部３ｅの高さ方向中間位置を分割終点とする側面視変形への字状の分割ラインに沿って、上向きに開口する扁平Ｕの字状の取付け部材３Ａと、これの上方及び前方側を覆う横断面形状が略下向き扁平Ｕの字状の蓋部材３Ｂとに分割形成されている。
【００３６】
前記取付け部材３Ａの両側壁部３ｃには、壁外面Ｗａに当て付けられるフランジ部３ｆと、取付け部材３Ａと蓋部材３Ｂとを二箇所で締結固定するためのビス１６がねじ込まれるビス止め用筒部３ｇとが一体形成されているとともに、底壁部３ｄには、壁外面Ｗａに取付けるためのビス１４用の挿通孔３ｋが貫通形成されている。
【００３７】
前記蓋部材３Ｂには、壁外面Ｗａに当て付けられるフランジ部３ｓと、取付け部材３Ａと蓋部材３Ｂとを二箇所で締結固定するためのビス１６用の挿通孔３ｖを備えた取付け凹部３ｕが形成されているとともに、フランジ部３ｓには、壁外面Ｗａに取付けるためのビス１５用の挿通孔３ｔが貫通形成されている。
【００３８】
さらに、前記蓋部材３Ｂの天井壁部３ａのうち、前壁部３ｎ側から接続端部３ｅの近くまで亘る範囲の部分が接続端部３ｅよりも壁外面Ｗａから離れる側に隆起形成され、この隆起形成された天井壁突出部３ｂのうち、貫通口Ｈに相対向する部位には隅丸で正四角形状の換気口３ｉが形成された換気筒部３ｈが外面側に突出形成されているとともに、この換気筒部３ｈの外面と換気カバー４の内面とが密着状態で装着可能なテーパー面に形成され、さらに、換気口３ｉの開口縁部には、換気口３ｉの内方に向かって突出され、換気体５と案内筒６を共締め固定するための共締めネジ８用の挿通孔３ｌを備えた突出片３ｊが形成されている。
【００３９】
前記換気体５は、換気口３ｉの内径とほぼ同一又は僅かに大なる輪郭形状で、かつ、換気筒部３ｈの外形よりも小なる輪郭形状で形成され、その中央には換気口３ｉよりも小なる外径の軸流式の換気ファン５ａが、コーナーカバー３への装着時に、その軸芯方向と換気口３ｉの開口面とがほぼ垂直になる状態で備えられているとともに、換気ファン５ａの外周面から換気体５の外周面に至る部分が多数のスリット状の隙間を有する格子状に形成されている。さらに、括弧状角部５ｄの各々には、コーナーカバー３の突出片３ｊに備えられた挿通孔３ｌを通して案内筒６と共締め固定するための共締めネジ８用の挿通孔５ｂが形成されている。
【００４０】
そのため、換気ファン５ａを備えた換気体５を装着した場合でも、換気ファン５ａが、少なくともコーナーカバー３の内部の天井壁部３ａ側に配置されるため、可撓性配管類１の屈曲部１Ａをコーナーカバー３の底壁部３ｄと天井壁部３ａとの間の空間（配管類設置空間Ａ）に、換気ファン５ａとの干渉を抑制した状態で収納することができ、従来のコーナー用化粧カバーの利点を活かしながら機械換気を行うことができる。
【００４１】
しかも、換気ファン５ａが軸芯方向の厚みの少ない軸流ファンであるので、例えば軸芯方向の厚みの大きいシロッコファンを使用する場合に比べて、換気ファン５ａの配管類設置空間Ａへの突出を抑制することができ、さらに、換気ファン５ａの軸芯方向に沿う直線上で空気を移動させるので、貫通口Ｈから換気口３ｉに亘って、圧力損失の少ない状態で換気を行うことができる。また、換気ファン５ａに、駆動モーターがファンの軸心幅から突出しないタイプの軸流ファンを使用することで、換気ファン５ａの配管類設置空間Ａへの突出を抑制しながらも、換気通路７側への突出も少なくして換気通路７の有効断面積の減少を抑制することができる。
【００４２】
前記虫侵入抑制体１０は、換気体５と同一の輪郭形状で、かつ、同一位置に同一形状の挿通孔５ｂが形成されているとともに、その全面に亘って多数のスリット状の隙間を有する格子状に形成されている。そのため、換気体５に替えて虫侵入抑制体１０を装着することで、この虫進入抑制体１０の隙間よりも大きな虫の侵入を防止しながらも、自然換気を行うことができる。この機械換気用の換気体５から自然換気用の虫侵入抑制体１０への付け替え作業は、まず、取付けビス９を緩めてコーナーカバー３から換気カバー４を取り外したのち、共締めネジ８を緩めてコーナーカバー３から換気体５を取り外し、そして、虫侵入抑制体１０を共締めネジ８でコーナーカバー３に固定したのち、再度換気カバー４を取付けることで完了する。
【００４３】
前記案内筒６は、両端部に異なる外径の開口部を有する筒状に成形され、その一端部には、換気ホース１ｂが嵌合状態で差込み接続される接続口６ａが形成されているとともに、他端部には、換気体５が取付けられる取付け口６ｂが形成され、この取付け口６ｂには、換気体５の取付け時に、換気体５の挿通孔５ｂに相対向する部位に共締めネジ８用のネジ孔６ｃが形成されている。
【００４４】
そのため、壁Ｗの貫通口Ｈから導出された換気ホース１ｂの一端部を、案内筒６の一端側に形成された接続口６ａに差し込むとともに、換気体５又は虫侵入抑制体１０と案内筒６の取付け口６ｂとを突出片３ｊを介して共締め固定することで、換気ホース１ｂ、換気体５又は虫侵入抑制体１０、及び換気口３ｉとが連通状態で固定することができる。
【００４５】
また、換気体５による機械換気を常時行う場合には、換気ホース１ｂと換気体５を連通接続させる案内筒６の内部に、この案内筒６の内部を移動空気によって閉塞可能な開閉弁６ｄを設けることで、換気量を換気ファン５ａの作動と停止の切り替えによってコントロールすることができる。
【００４６】
前記開閉弁６は、その上下方向中心線よりも上方部分を換気筒６内面に設けられた回転軸６ｅで回転自在に支持されている。そのため、換気ファン５ａの作動時には、開閉弁６ｄにおける回転軸６ｅを境にした上方部分よりも面積が広いために空気圧が高くなる下方部分が移動空気に沿って移動することで、開閉弁６ｄが開かれて案内筒６内が開口され、換気ファン５ａの停止時には、下方部分の自重によって開閉弁６ｄが閉じられて案内筒６内が閉塞される。
【００４７】
前記太陽光発電パネル１２は、太陽光を受照しない裏面に、発電した電力を出力する配線ケーブル１１の一端部が接続されているとともに、コーナーカバー３の天井壁部と粘着固定するための両面テープが貼り付けられ、そして、配線ケーブル１１の他端部を換気体５の換気ファン５ａに接続した状態でコーナーカバー３の天井壁部３ａの外面のうち、換気カバー４の装着部分以外に両面テープで粘着固定されている。そのため、電池等の交換を行うことなく、太陽光によって換気ファン５ａに電力を供給し続けることができる。
【００４８】
前記換気カバー４の両側壁部４ｂの内面間寸法は、換気筒部３ｈの外周部の各辺の長さと同一、又は僅かに小に構成されているとともに、この両側壁部４ｂと前壁部４ｃとの間に位置する各括弧状角部は、換気筒部３ｈの各括弧状角部と摺接状態で嵌合可能な形状で構成されていて、換気カバー４の両側壁部４ｂから天井壁部４ａ側に回り込む部位には、コーナーカバー３と換気カバー４とを二箇所で締結固定するための取付けビス９に対する挿通孔４ｅを備えた取付け凹部４ｄが形成されているとともに、換気筒部３ｈの先端面における各辺中央の四箇所には、取付けビス９に対するビス止め用筒部３ｐが一体的に突出形成されている。
【００４９】
そのため、換気カバー４の二箇所の挿通孔４ｅを換気筒部３ｈの四箇所のビス止め用筒部３ｐから二箇所を選択して締結固定することで、コーナーカバー３の取付け姿勢が配管条件によって、下向き、右向き、左向き、上向きの何れの姿勢になっても、換気カバー４をそれの一端側開口部４ｈが常に下向きに開口する状態で装着することができる。
【００５０】
前記換気カバー４のうち、一端側開口部４ｈと相対向する他端側の前壁部４ｃには、換気カバー４内の換気通路７に連通する複数のスリット状の換気孔４ｉが貫通形成されているとともに、前壁部４ｃの内面には、換気孔４ｉのコーナーカバー３側の端縁又はその近傍位置に沿って、一端側開部４ｈに向かって突出する垂れ壁４ｊが一体形成されている。
【００５１】
そのため、換気カバー４を、それの換気孔４ｉと一端側開口部４ｈが上下で位置する縦向き姿勢でコーナーカバー３に装着することにより、高い換気性能を確保しながらも、換気孔４ｉから入り込んだ雨水がコーナーカバー３の換気孔４ｉ内に侵入することを、前壁部４ｃの内面に形成した垂れ壁４ｊによって一層抑制することができる。
【００５２】
また、コーナーカバー３の天井壁部３ａの隆起代が、これから外面側に一体的に突出形成される換気口３ｉを備えた換気筒部３ｈの突出代と略同一又はそれより大に構成されていて、このコーナーカバー３の天井壁部３ａの隆起代と換気筒部３ｈの突出代とにより、壁外面Ｗａからコーナーカバー３の換気口３ｉまでの距離が大きくなるから、配管類設置空間Ａを一層広くすることができる。
【００５３】
［第２実施形態］
上述の第１実施形態では、換気体５をコーナーカバー３の天井壁部３ａの外面に設けて実施していたが、図３に示すように、換気体５を換気カバー４の内面に設けて実施してもよい。
【００５４】
換気カバー４の両側壁部４ｂ及び天井壁部４ａには、換気カバー４をその一端側開口部４ｈが下方に位置する姿勢でコーナーカバー３に装着した際に、一端側開口部４ｈ側に位置する側の換気筒部３ｈの外辺を通り、コーナーカバー３の天井壁部３ａに垂直な面で、換気通路７の内方に向かって突出する突出片４ｋが設けられているとともに、この突出片４ｋには、換気体５を換気カバー４に固定するための固定ネジ１３用のネジ孔４ｌが備えられている。
【００５５】
換気体５は、換気通路７の内面を閉塞可能な輪郭形状で形成されているとともに、その中央にはコーナーカバー３の天井壁部３ａから換気カバー４の天井壁部４ａまでの距離よりも小なる外径の軸流式の換気ファン５ａが、コーナーカバー３への装着時に、その軸芯方向と換気口３ｉの開口面とがほぼ垂直になる状態で備えられている。さらに、換気ファン５ａの外周面から換気体５の外周面に至る部分が、多数のスリット状の隙間を有する格子状に形成されているとともに、この部分の外周側には、換気カバー４のネジ孔４ｌにねじ込まれる固定ネジ１３用の挿通孔５ｂが形成されている。
【００５６】
そして、換気体５は、換気通路７の内面に配置され、コーナーカバー３の天井壁部に対して直角な状態で、かつ、換気筒部３ｈの外面及び換気カバー４の突出片４ｋに接当した状態で、固定ネジ１３を換気体５の挿通孔５ｂを通して換気カバー４のネジ孔４ｌにねじ込むことで換気カバー４に締結固定されている。
【００５７】
そのため、換気ファン５ａを備えた換気体５を装着した場合でも、換気ファン５ａがコーナーカバー３の外部に配置されるため、可撓性配管類１の屈曲部１Ａを配管類設置空間Ａに、換気ファン５ａと干渉しない状態で収納することができる。
尚、その他の構成は、第１実施形態で説明した構成と同一であるから、同一の構成箇所には、第１実施形態と同一の番号を付記してそれの説明は省略する。
【００５８】
［第３実施形態］
上述の各実施形態では、換気体５をコーナーカバー３の天井壁部３ａの外面側に設けて実施していたが、図４に示すように、換気体５をコーナーカバー３の前壁部３ｎ又は側壁部３ｃの内面側で、換気体５に備えられた換気ファン５ａの一部が換気通路７内に突出する状態で設けて実施してもよい。
【００５９】
コーナーカバー３の前壁部３ｎ及び両側壁部３ｃには、換気口３ｉの開口面と平行で、かつ、コーナーカバー３の内方に向かって突出する突出片３ｑが形成されているとともに、この突出片３ｑには、換気体５と案内筒６を共締め固定するための共締めネジ８用の挿通孔３ｒが形成されている。
【００６０】
換気体５は、案内筒６の取付け口６ｂを閉塞可能な輪郭形状に形成されているとともに、その中央には換気口３ｉよりも小なる外径の軸流式の換気ファン５ａが、コーナーカバー３への装着時に、案内筒６の反対側に突出する状態で備えられ、さらに、換気体５の外周面には、コーナーカバー３の前壁部３ｎ及び両側壁部３ｃに形成された突出片３ｊの挿通孔３ｌを介して案内筒６と共締め固定するための共締めネジ８用の挿通孔５ｂを備えたフランジ片５ｆが外方に向かって突出形成されている。
【００６１】
そして、換気体５は、換気体５に備えられた換気ファン５ａの一部が換気口３ｉを通して天井壁部３ａの外側に突出した状態（換言すれば、換気通路７内に突出した状態）で、換気口３ｉ側からコーナーカバー３の突出片３ｊを介して案内筒６に共締めネジ８で締結固定されている。
【００６２】
そのため、換気ファン５ａを備えた換気体５を装着した場合でも、換気ファン５ａのコーナーカバー３の外部に突出した一部以外の部分だけが、コーナーカバー３の内部の天井壁部３ａ側に配置されることになり、可撓性配管類１の屈曲部１Ａを配管類設置空間Ａに、換気ファン５ａとの干渉を抑制した状態で収納することができる。
尚、その他の構成は、第１実施形態で説明した構成と同一であるから、同一の構成箇所には、第１実施形態と同一の番号を付記してそれの説明は省略する。
【００６３】
［第４実施形態］
また、図５に示すように、換気体５をコーナーカバー３と換気カバー６の隣接間に設けて実施してもよい。
【００６４】
換気体５は、コーナーカバー３の換気口３ｉ覆うことのできる輪郭形状に形成され、その中央には換気口３ｉよりも小なる外径の軸流式の換気ファン５ａが、コーナーカバー３への装着時に、その軸芯方向と換気口３ｉの開口面とがほぼ垂直になる状態で備えられているとともに、換気ファン５ａの外周面から換気体５の外周面に至る部分が、多数のスリット状の隙間を有する格子状に形成されている。
【００６５】
さらに、換気体５の外周面には、換気筒部を嵌挿可能で、かつ、コーナーカバー３の天井壁部３ａに接当可能なフランジ状縁５ｇが突出形成されているとともに、括弧状角部５ｄの各々には、換気筒部３ｈの先端部で換気口３ｉの内方に突出形成された突出片３ｊの挿通孔３ｌを通して案内筒６と共締め固定するための共締めネジ８用の挿通孔５ｂが形成されている。
【００６６】
換気カバー４の前壁部４ｃ及び両側壁部４ｂにおけるコーナーカバー３の天井壁部３ａとの接触端部４ｍのうち、換気体５のフランジ状縁５ｇに面する部分には、フランジ状縁５ｇの厚み分の切り欠き４ｎが形成されている。
【００６７】
そして、換気筒部３ｈを換気体５に嵌挿した状態で、換気体５を換気口３ｉの外側から換気筒部３ｈの突出片３ｊを介して案内筒６に共締めネジ８で締結固定したのち、換気カバー４を装着することにより、換気カバー４の切り欠き４ｎが換気体のフランジ状縁５ｇに接当するとともに、接続端部４ｍの切り欠き４ｎを除く部分がコーナーカバー３の天井壁部３ａと接当して、コーナーカバー３と換気カバー４とで換気体５を挟持した状態で換気通路７が形成される。
【００６８】
そのため、換気ファン５ａを備えた換気体５を装着した場合でも、換気ファン５ａが、少なくともコーナーカバー３の内部の天井壁部３ａ側に配置されることになり、可撓性配管類１の屈曲部１Ａを配管類設置空間Ａに、換気ファン５ａとの干渉を抑制した状態で収納することができる。また、案内筒６を設けない場合には、共締めネジ８を用いずとも、コーナーカバー３と換気カバー４による挟持のみで換気体５を固定することができる。
尚、その他の構成は、第１実施形態で説明した構成と同一であるから、同一の構成箇所には、第１実施形態と同一の番号を付記してそれの説明は省略する。
【００６９】
［その他の実施形態］
（１）上述の第１実施形態では、換気体５をコーナーカバー３の天井壁部３ａの外面に締結固定していたが、換気体５をコーナーカバー３の天井壁部３ａの内面に締結固定する構成にしてもよい。
（２）上述の第１実施形態では、開閉弁６ｄを、案内筒６の内面の回転軸６ｅを介して案内筒６内に回動自在に支持した場合を例に挙げて説明したが、換気ファン５ａの作動によって壁Ｗの内面側からコーナー用化粧カバーの外部に至る経路を開閉できれば、換気ホース１ｂ、コーナーカバー３、換気筒６、換気カバー４のどれに設けてもよく、また、どのような構成であってもよい。
（３）上述の各実施形態では、作動力供給源として、太陽光発電パネル１２を例に挙げて説明したが、作動力供給源としては、電池やコンセントであってもよく、また、換気ファン５ａを作動できるものであれば、電力以外の動力であってもよい。
（４）上述の各実施形態では、換気カバー４を、二方向に向かって略Ｌ字状に開口させ、コーナーカバー３への装着時に、コーナーカバー３の天井壁部３ａの外面との間に換気通路７を形成する構成にしてあったが、換気カバー４は、コーナーカバー３の換気口３ｉと外部とに亘って換気通路７を形成することができれば、どのような構成にしてもよく、例えば、一対の開口を備えた筒状に形成し、コーナーカバー３への装着時に、換気カバー４の内部に換気通路を形成する構成にしてもよい。
【図面の簡単な説明】
【００７０】
【図１】本発明のコーナー用化粧カバーの第１実施形態を示す要部の分解斜視図
【図２】本発明のコーナー用化粧カバーの第１実施形態を示す取付け時の断面側面図
【図３】本発明のコーナー用化粧カバーの第２実施形態を示す取付け時の断面側面図
【図４】本発明のコーナー用化粧カバーの第３実施形態を示す取付け時の断面側面図
【図５】本発明のコーナー用化粧カバーの第４実施形態を示す取付け時の断面側面図
【符号の説明】
【００７１】
Ｗ        壁
Ｗａ      壁外面
Ｈ        貫通口
１        可撓性配管類
１Ａ      屈曲部分
３        コーナーカバー
３ａ      天井壁部
３ｉ      換気口
３ｊ      取付け部（突出片）
３ｑ      取付け部（突出片）
４        換気カバー
４ｋ      取付け部（突出片）
５ａ      換気ファン
６        案内筒
６ｄ      開閉弁
７        換気通路
１０      虫侵入抑制体
１２      作動力供給源（太陽光発電パネル）
【図１】
2006284150.tif 000003
【図２】
2006284150.tif 000004
【図３】
2006284150.tif 000005
【図４】
2006284150.tif 000006
【図５】
2006284150.tif 000007